(57)【要約】【課題】撮影時の画像データに対するアスペクト比情報に関して、最適な処理方法をユーザが設定できる撮像装置を提供する。【解決手段】予め決められたアスペクト比の画像を使用する前提で撮影を行うが、画像データに対し、アスペクト比に対応したトリミング情報に基いてトリミング処理を行った画像として記録する。あるいは、アスペクト比に対応したトリミング情報のみを画像データ添付して記録するかの選択をユーザが選択可能とする。さらに、アスペクト比に対応したトリミング情報のみを画像データ添付して記録する場合には、選択結果に応じて記録されている画像の再生表示方法や撮影条件を変更可能とする。【選択図】図１０
2011142658.tif 000002
【特許請求の範囲】
【請求項１】
被写体を撮像して画像データを出力する撮像手段と、
画像のアスペクト比を設定するアスペクト比設定手段と、
前記アスペクト比設定手段で設定されたアスペクト比の情報を付加して、前記撮像手段から出力される画像データのうち前記アスペクト比設定手段で設定されたアスペクト比が示す範囲外も含む画像データを記録媒体に記録可能な画像記録手段と、
前記画像記録手段が、前記撮像手段から出力される画像データのうち前記アスペクト比設定手段で設定されたアスペクト比が示す範囲外も含む画像データを記録する場合でも、前記撮像手段で撮像される撮影範囲あるいは画像データのうち、前記アスペクト比設定手段で設定されたアスペクト比に応じた範囲を特定の撮影条件を合わせるための情報を取得する範囲として設定する範囲設定手段と
を有することを特徴とする撮像装置。
【請求項２】
被写体輝度を測光して測光データを取得する測光手段をさらに有し、
前記範囲設定手段が設定する範囲は、前記測光手段が測光データを取得する範囲であることを特徴とする請求項１に記載の撮像装置。
【請求項３】
焦点状態を検出して焦点検出データを取得する焦点検出手段をさらに有し、
前記範囲設定手段が設定する範囲は、前記焦点検出手段が前記焦点検出データを取得する範囲であることを特徴とする請求項１または２に記載の撮像装置。
【請求項４】
ホワイトバランスを調整するホワイトバランス手段をさらに有し、
前記範囲設定手段が設定する範囲は、前記ホワイトバランス手段がホワイトバランスデータを取得する範囲であることを特徴とする請求項１乃至３のいずれか1項に記載の撮像装置。
【請求項５】
前記画像記録手段は、前記撮像手段から出力される画像データから前記アスペクト比設定手段で設定されたアスペクト比に応じてトリミングした画像データを生成して前記記録媒体に記録する第１の記録モードでの記録と、前記撮像手段から出力される画像データを、前記アスペクト比設定手段で設定されたアスペクト比に応じてトリミングすることなく、前記アスペクト比設定手段で設定されたアスペクト比の情報を付加して前記記録媒体に記録する第２の記録モードでの記録とが可能であって、
前記第１の記録モードまたは前記第２の記録モードを選択する記録モード選択手段をさらに有することを特徴とする請求項１乃至４のいずれか1項に記載の撮像装置。
【請求項６】
前記記録モード選択手段によって選択された前記記録モードに応じて、撮影に関する条件を変更する撮影条件の変更手段を更に有することを特徴とする請求項５に記載の撮像装置。
【請求項７】
前記範囲設定手段が、前記アスペクト比設定手段で設定されたアスペクト比に応じて前記特定の撮影条件を合わせるための情報を取得する範囲を設定するか、前記アスペクト比設定手段で設定されたアスペクト比に関わらずに前記特定の撮影条件を合わせるための情報を取得する範囲を設定するかを選択可能な選択手段をさらに有することを特徴とする請求項１乃至６のいずれか１項に記載の撮像装置。
【請求項８】
被写体を撮像して画像データを出力する撮像手段を有する撮像装置の制御方法であって、
画像のアスペクト比を設定するアスペクト比設定工程と、
前記アスペクト比設定工程で設定されたアスペクト比の情報を付加して、前記撮像手段から出力される画像データのうち前記アスペクト比設定工程で設定されたアスペクト比が示す範囲外も含む画像データを記録媒体に記録可能な画像記録工程と、
前記画像記録工程で、前記撮像手段から出力される画像データのうち前記アスペクト比設定工程で設定されたアスペクト比が示す範囲外も含む画像データを記録する場合でも、前記撮像手段で撮像される撮影範囲あるいは画像データのうち、前記アスペクト比設定工程で設定されたアスペクト比に応じた範囲を特定の撮影条件を合わせるための情報を取得する範囲として設定する範囲設定工程と
を有することを特徴とする撮像装置の制御方法。
【請求項９】
請求項８に記載の撮像装置の制御方法の各工程をコンピュータに実行させるためのプログラム。
【請求項１０】
請求項８に記載の撮像装置の制御方法の各工程をコンピュータに実行させるためのプログラムを記録したコンピュータ読み取り可能な記録媒体。
【発明の詳細な説明】
【技術分野】
【０００１】
本発明はデジタルカメラ等の撮像装置に関し、特に、記録された画像データを、記録後読み出してアスペクト比変換等を行う場合に好適な撮像装置、撮像装置の制御方法、プログラム、および記憶媒体に関する。
【背景技術】
【０００２】
記録媒体に記録された画像データを、記録後にトリミング処理等をして使用することを予定している場合、ユーザに種々の便宜が図られるように構成された撮像装置が、特許文献１にて提案されている。
【０００３】
特許文献１に開示されたディジタルカメラにおいては、ユーザが予め用意された各種のトリミング処理から所望のトリミング処理を選択して設定すると、撮影しようとする画像のモニタ画像を、選択したトリミング処理を施した状態で表示することが可能である。また、その状態で、レリーズ等の撮影或いは記録起動操作を行った場合、記録媒体には、トリミング処理がされていない画像データと、その時選択されているトリミング処理を表すトリミング識別信号とを記録する構成とされている。そして、記録媒体からその画像データの再生時には、画像データと同時に記録したトリミング識別信号に従ってトリミング処理した状態でその画像データを再生できる様に構成している。
【０００４】
また、特許文献２においては、静止画像データを撮影可能なビデオカメラを使用して静止画像データを撮影する場合、記録される静止画像データに対して柔軟な対応を可能として、静止画像データのデータ容量に制限を与えることができることが記載されている。それにより、不必要なデータが記録媒体に記録されるのを防ぐことが可能なビデオカメラが開示されている。すなわち、特許文献２のビデオカメラでは、静止画像データを撮影する場合、フレーム枠の簡単な操作により、あらかじめ撮影する画像データの用途や構図にあった画角やアスペクト比を設定することが可能に構成されている。それにより、記録する静止画像データを適切なデータ容量の画像データとなるように設定して記録することが可能に構成されている。
【先行技術文献】
【特許文献】
【０００５】
【特許文献１】特開２００１-０８６３７３号公報
【特許文献２】特開２００３-３０４４４１号公報
【発明の概要】
【発明が解決しようとする課題】
【０００６】
本発明は、撮像手段から出力される画像データのうち、設定されたアスペクト比が示す範囲外も含む画像データを記録する場合でも、設定されたアスペクト比に応じてより適切な撮影条件で撮影可能な撮像装置を提供することを目的とする。
【課題を解決するための手段】
【０００７】
上記の本発明の目的を達成するため、本発明の実施形態に係る撮像装置は、
被写体を撮像して画像データを出力する撮像手段と、
画像のアスペクト比を設定するアスペクト比設定手段と、
前記アスペクト比設定手段で設定されたアスペクト比の情報を付加して、前記撮像手段から出力される画像データのうち前記アスペクト比設定手段で設定されたアスペクト比が示す範囲外も含む画像データを記録媒体に記録可能な画像記録手段と、
前記画像記録手段が、前記撮像手段から出力される画像データのうち前記アスペクト比設定手段で設定されたアスペクト比が示す範囲外も含む画像データを記録する場合でも、前記撮像手段で撮像される撮影範囲あるいは画像データのうち、前記アスペクト比設定手段で設定されたアスペクト比に応じた範囲を特定の撮影条件を合わせるための情報を取得する範囲として設定する範囲設定手段と
を有することを特徴とする。
【発明の効果】
【０００８】
本発明によれば、設定されたアスペクト比に応じてより適切な撮影条件で撮影を行うことができる。
【図面の簡単な説明】
【０００９】
【図１】本発明の実施形態に係る撮像装置であるデジタルカメラの上面図である。
【図２】本発明の実施形態に係る撮像装置であるデジタルカメラの背面図である。
【図３】本発明の実施形態に係る撮像装置であるデジタルカメラの上面表示器の表示内容図である。
【図４】本発明の実施形態に係る撮像装置であるデジタルカメラのファインダ視野を示す図である。
【図５】本発明の実施形態に係る撮像装置であるデジタルカメラのブロック図である。
【図６】本発明の実施形態に係る撮像装置であるデジタルカメラで使用可能な交換可能なフォーカシングスクリーンを示す図である。
【図７】本発明の実施形態に係る撮像装置であるデジタルカメラで使用可能な交換可能な他のフォーカシングスクリーン示す図である。
【図８】本発明の実施形態に係る撮像装置であるデジタルカメラのファインダ視野内における多分割測光測光センサの分割状態図である。
【図９】本発明の実施形態に係る撮像装置であるデジタルカメラで使用されるメニュー項目のうち、特徴部分となるメニュー画面を示す図である。
【図１０】本発明の実施形態に係る撮像装置であるデジタルカメラにおける、アスペクト比が設定された時のアスペクト比情報処理の動作のフローチャートを示す図である。
【図１１】本発明の実施形態に係る撮像装置であるデジタルカメラにおける、画像データの再生時のアスペクト比表示が設定されるアスペクト比表示設定の動作を説明するフローチャートを示す図である。
【図１２】本発明の実施形態に係る撮像装置であるデジタルカメラの背面モニタで表示される画像再生状態を示す図である。
【図１３】本発明の実施形態に係る撮像装置であるデジタルカメラの背面モニタで表示される他の画像再生状態を示す図である。
【図１４】本発明の実施形態に係る撮像装置であるデジタルカメラのディスプレイボタンが押下されたときの背面モニタの画像再生の動作を示すフローチャートを示す図である。
【図１５】本発明の実施形態に係る撮像装置であるデジタルカメラにおける、撮影情報設定範囲が設定された時の測光処理の動作を説明するフローチャートを示す図である。
【図１６】本発明の実施形態に係る撮像装置であるデジタルカメラにおける、撮影情報設定範囲が設定された時の焦点検出ポイントマーク選択処理する動作を説明するフローチャートを示す図である。
【図１７】本発明の撮影情報設定範囲が設定された時のホワイトバランス処理のフローチャートを示す図である。
【発明を実施するための形態】
【００１０】
以下、添付図面を参照し、本発明の実施形態に係る撮像装置を詳しく説明する。
【００１１】
＜実施形態１＞
本発明の実施形態に係る撮像装置について図面を参照して説明する。図１は、本発明の実施形態に係る撮像装置としてのデジタルカメラ１００の上面図を示し、また図２は、デジタルカメラ１００の背面図を示す。
【００１２】
図１において、１０１は撮影動作を開始させるレリーズ（シャッタ）ボタンであり、２段ストロークの押し込みＳＷで構成される。レリーズボタン１０１は、第１ストロークでＯＮとされる第１レリーズＳＷ３３０（図５）により、撮影前の準備動作として測光動作、焦点検出動作／レンズ駆動動作が開始される。また、第１レリーズＳＷ３３０のＯＮ後の第２ストロークでＯＮされる第２レリーズＳＷ３３１（図５）により、シャッタ駆動動作が開始され、撮影動作である静止画像データを取得するための電荷蓄積および電荷読み出し動作を開始させる露光動作を行なう。
【００１３】
１０２はメイン電子ダイヤルであり、シャッタ秒時や絞り値等の各種撮影条件の入力設定を行うダイヤルである。１０３は撮影モード設定ダイヤルであり、撮影モードである『マニュアルモードＭ』、『シャッタ速度優先モード（Ｔｖ）』、『絞り優先モード（Ａｖ）』等々のモード表示１０３ａが設けられている。そしてモード表示１０３ａを撮影モードダイヤル１０３近傍に設けられた指標１０３ｂへ回転させて合わせることで、撮影モードが設定される。１０４は上面表示器であり、撮影に関する各種設定情報、露出制御情報等を表示する。尚、上面表示部１０４は、一般的な液晶表示パネルを用いて構成される。
【００１４】
１０５は測光モード／調光補正ボタンであり、測光モード／調光補正ボタン１０５を押下し、メイン電子ダイヤル１０２を回転させることで、測光モードを変更することができる。さらに、後述するサブ電子ダイヤル１１５を回転させることで、ストロボ使用時の調光量補正値の設定変更が可能となるように構成されている。１０６はドライブモード／ＩＳＯ設定ボタンであり、ドライブモード／ＩＳＯ設定ボタン１０６を押下し、メイン電子ダイヤル１０２を回転させることで、ドライブモードとなる単写モード／連写モード／セルフタイマモードの切り替えをすることが出来る。さらに、サブ電子ダイヤル１１５を回転させることで、ＩＳＯ感度の設定変更が可能となるように構成されている。
【００１５】
１０７はＡＦモード／ホワイトバランス（以下、ＷＢ）設定ボタンであり、ＡＦモード／ＷＢ設定ボタン１０７を押下し、メイン電子ダイヤル１０２を回転させる。これにより、ＡＦモードとなる『Ｏｎｅ Ｓｈｏｔ』／『ＡＩ Ｓｅｒｖｏ』の切り替え変更することが出来る。さらに、サブ電子ダイヤル１１５を回転させることで、ホワイトバランスの設定変更が可能となるように構成されている。
【００１６】
１０８は照明ボタンであり、照明ボタン１０８を押下することで、上面表示部１０４のバックライト照明を行なうことが可能に構成されている。尚、測光モード／調光補正ボタン１０５、ドライブモード／ＩＳＯ設定ボタン１０６、ＡＦモード／ＷＢ設定ボタン１０７等により設定された内容は、すべて上面表示部１０４で表示可能とされている。
【００１７】
図２において、１１０はメニューボタンであり、背面モニタ１２０へ撮影画像に関する各種設定項目を表示させるように構成されている。１１１はＩｎｆｏボタンであり、Ｉｎｆｏボタン１１１を押下することで、設定された撮影画像に関する各種設定項目の状態を背面モニタ１２０で一覧表示するように構成されている。
【００１８】
１１２はディスプレイボタンであり、ディスプレイボタンを押下することで、画像データ記録媒体３１９（図５）に記録されている画像データを表示することができる。１１３は画像データ消去ボタン、１１４はデジタルカメラ１００の電源スイッチである。また、サブ電子ダイヤル１１５は、時計方向、反時計方向へ回転させることで、前述した撮影情報である調光量補正値の設定変更、ＩＳＯ感度の設定設定、ＷＢモードの設定変更を行なうことができる。さらに、メニューボタン１１０により表示される撮影画像に関する各種設定項目の選択や、画像データの画像送り動作さを行なうように構成されている。
【００１９】
１１６はＳＥＴボタンであり、メニューボタン１１０により表示され、サブ電子ダイヤル１１５により選択されてた撮影画像データに関する各種設定項目の決定を行なうように構成されている。１１７は縮小表示ボタン、１１８は拡大表示ボタンである。ディスプレイボタン１１２により撮影画像データを背面モニタ１２０へ表示中に、拡大再生表示ボタン１１８を押下毎に表示画像の拡大表示を行なう。さらに、拡大表示中に縮小表示ボタン１１７を押下毎に拡大画像を縮小表示するものである。
【００２０】
尚、拡大／縮小表示中にメイン電子ダイヤル１０２を回転させることで、拡大表示領域を左右方向へ移動可能であり、また、サブ電子ダイヤル１１５を回転させることで、拡大表示領域を上下方向へ移動可能に構成されている。
【００２１】
１２０は背面モニタであり、電子的表示手段としての一般的なカラー画像表示用液晶パネルにより構成されている。そして、メニューボタン１１０の押下によって撮影画像データに関する各種設定項目の表示、Ｉｎｆｏボタン１１１の押下による撮影画像に関する各種設定項目状態の一覧表示を行う。さらに、ディスプレイボタン１１２を押下することで画像データ記録媒体３１９に記録されている画像データの表示や、撮影直後の画像データの表示を行なうものである。
【００２２】
図３の３Ａ、３Ｂは、本発明の実施形態に係るデジタルカメラ１００の上面表示部１０４の表示内容を表したものである。図３において、３Ａは上面表示部１０４で表示可能な全表示内容を表したものである。すなわち、１０４ａはシャッタ秒時表示、及びＩＳＯ感度設定時にはＩＳＯ感度の表示を行う表示部、１０４ｂは絞り値表示部、１０４ｃはデジタルカメラ１００に装填されている画像データ記録媒体に記録可能な撮影可能枚数カウンタ表示部である。これは、記録画質により撮影画像データのファイル容量が異なる為、設定された記録画質に応じてシステムコントローラ３２４が、撮影毎に画像データ記録媒体３１９の空き容量を算出して撮影可能枚数を表示するように構成されている。
【００２３】
１０４ｄはドライブモード表示部であり、ドライブモード／ＩＳＯ設定ボタン１０６を押下すると、ドライブモード表示部１０４ｄ、ＩＳＯ表示部１０４ｍ、及び、表示部１０４ａにＩＳＯ感度が表示され、その他の表示部は消灯状態となる。この時、メイン電子ダイヤル１０２を回転させることで、選択される単写モード／連写モード／セルフタイマモードの表示を行う。また、サブ電子ダイヤル１１５を回転させることで、表示部１０４ａに表示されているＩＳＯ感度が調整されてＩＳＯ感度の設定変更が可能となる。
【００２４】
１０４ｃはＡＦモード表示部であり、ＡＦモード／ＷＢ設定ボタン１０７を押下すると、ＡＦモード表示部１０４ｃ、ホワイトバランス表示部１０４ｎが表示され、その他の表示部は消灯状態となる。この時、メイン電子ダイヤル１０２を回転させることでＡＦモードとなる『Ｏｎｅ Ｓｈｏｔ』／『ＡＩ Ｓｅｒｖｏ』の切り替え変更することが出来る。さらに、サブ電子ダイヤル１１５を回転させることで、ホワイトバランスの設定変更が可能となるように構成されている。
【００２５】
尚、本デジタルカメラ１００においては、９種類のホワイトバランスモードが変更設定可能に構成されている。１０４ｆは調光補正時の設定値表示部、１０４ｈは調光補正設定時の設定状態を表示する調光補正表示部、１０４ｇは測光モードを表示する測光モード表示部である。１０４ｉは本デジタルカメラ１００にて撮影する画像データの記録画質表示部であり、メニューボタン１１０の押下により、背面モニタ１２０に表示される記録画質設定項目により設定された記録画質が表示される。１０４ｋは、本デジタルカメラ１００に装填されている電源である電池の使用状態を表示するバッテリチェック表示部である。
【００２６】
また３Ｂは、本デジタルカメラ１００の電源がＯＮとされ、撮影前のスタンバイ状態における上面表示部１０４の表示状態を示す。
【００２７】
図４は、本デジタルカメラ１００のファインダ視野１３０を示したものである。ファインダ視野１３０の外周には、デジタルカメラ１００の撮影条件の設定状態を表示する表示部１２２ａおよび１２２ｂが配置されている。ファインダ視野１３０内には、フォーカシングスクリーン１４０上に表示されている焦点検出可能なエリアを示すＡＦ範囲マーク１４１、及び、ＡＦ範囲マーク１４１内で焦点検出ポイントとなる１９点の焦点検出ポイントマーク１４２が表示されている。勿論これらは、撮影する画像に重畳されて表示されるものである。
【００２８】
図５は、本発明の実施形態に係るデジタルカメラのブロック図の１例である。図５において、本実施形態に係る撮像装置であるデジタルカメラ１００には、レンズユニット２００が不図示のマウント部のレンズ装着機構を介して着脱可能に取り付けられる。マウント部には電気接点ユニット２０７が設けられている。デジタルカメラ１００は、この電気接点ユニット２０７を介してレンズユニット２００と通信を行い、レンズユニット２００内のフォーカスレンズ２０１および光量を調節する絞り２０２の駆動を制御する。なお、図５においては、レンズユニット２００内のレンズとしてフォーカスレンズ２０１のみを示しているが、このほかに変倍レンズや固定レンズが設けられる場合がある。
【００２９】
不図示の被写体からの光束は、レンズユニット２００内のフォーカスレンズ２０１および絞り２０２を介して、デジタルカメラ１００内のクイックリターンミラー３０２に導かれる。クイックリターンミラー３０２は、撮影光路内に光軸に対して斜めに配置されて、被写体からの光束を上方のファインダ光学系に導く第１の位置（図示した位置）と、撮影光路外に退避する第２の位置との間で移動可能に構成される。
【００３０】
クイックリターンミラー３０２の中央部はハーフミラーになっており、クイックリターンミラー３０２が第１の位置にダウンしているときには、被写体からの光束の一部が、ハーフミラー部を透過する。そして、このハーフミラー部を透過した光束は、クイックリターンミラー３０２の背面側に設けられたサブミラー３０３で反射し、焦点検出回路３０５とともに自動焦点調整ユニットを構成するＡＦセンサ３０４に導かれる。焦点検出回路３０５は、ＡＦセンサ３０４を用い、図４のように、撮影画面内の複数の焦点検出ポイント１４２のうち、ユーザ又は後述するシステムコントローラにより選択された焦点検出ポイントマーク１４２でフォーカスレンズ２０１の焦点状態の検出を行う。
【００３１】
一方、クイックリターンミラー３０２で反射された光束は、フォーカシングスクリーン３０８、ペンタプリズム３０１および接眼レンズ３０６により構成されるファインダ光学系を介してユーザの目に至る。
【００３２】
また、クイックリターンミラー３０２が第２の位置にアップした際には、フォーカスレンズ２０１からの光束は、機械シャッタであるフォーカルプレーンシャッタ３０９および光学フィルタ３１０を介して撮像素子３１１に至る。この撮像素子３１１は、ＣＣＤやＣＭＯＳセンサ等により代表される半導体素子で構成されるイメージセンサである。光学フィルタ３１０は、赤外線をカットして可視光線のみを撮像素子３１１へ導く機能と、光学ローパスフィルタとしての機能とを有する。
【００３３】
また、フォーカルプレーンシャッタ３０９は、先幕および後幕を有して構成されており、レンズユニット２００からの光束の透過および遮断を制御する。なお、クイックリターンミラー３０２が第２の位置にアップしたときには、サブミラー３０３もクイックリターンミラー３０２に対して折り畳まれて撮影光路外に退避する。フォーカシングスクリーン３０８は、ユーザにより交換可能に構成されており、後述するように、本発明の実施形態においては、図６および図７で後述するように、複数のアスペクト表示がなされているフォーカシングスクリーンと交換可能に構成されている。また、液晶表示素子を一体化することで電子的にパターンを発生することも可能である。
【００３４】
また、本実施形態のデジタルカメラ１００は、デジタルカメラ１００全体の制御を司るシステムコントローラ３２４を有する。システムコントローラ３２４は、ＣＰＵやＭＰＵ等により構成され、後述する各回路等の動作を制御する。システムコントローラ３２４は、電気接点ユニット２０７を介してレンズユニット２００内のレンズ制御回路２０４と絞り制御回路２０６との通信を行う。レンズ制御回路２０４は、システムコントローラ３２４からの信号に応じて、フォーカスレンズ２０１を光軸方向に駆動して焦点合わせを行うレンズ駆動機構２０３を制御する。レンズ駆動機構２０３は、ステッピングモータを駆動源として有する。さらに、絞り制御回路２０６は、システムコントローラ３２４からの信号に応じて、絞り２０２を駆動する絞り駆動機構２０５を制御する。
【００３５】
また、システムコントローラ３２４は、シャッタ制御回路３１３と測光回路３０７とにも接続されている。シャッタ制御回路３１３は、システムコントローラ３２４からの信号に応じて、クイックリターンミラー３０２のアップ／ダウン駆動およびフォーカルプレーンシャッタ３０９のシャッタチャージ駆動を行うシャッタチャージ・ミラー駆動機構３１２を制御する。それと共に、フォーカルプレーンシャッタ３０９の先幕および後幕の走行駆動も制御する。
【００３６】
また、システムコントローラ３２４には、記憶手段としてＥＥＰＲＯＭ３２３も接続されている。ＥＥＰＲＯＭ３２３には、本デジタルカメラ１００を制御する上で調整が必要なパラメータ、カメラ個体の識別を行うための固有の情報であるカメラＩＤ情報、基準レンズを用いて調整された、撮影に関するパラメータの調整値等が記憶される。なお、基準レンズとは、本デジタルカメラ１００の工場での調整時に用いられる基準となる撮影レンズを意味する。
【００３７】
このＥＥＰＲＯＭ３２３は、種々のアスペクト比処理を予めアスペクト比情報として保存している。本発明の実施形態におけるアスペクト比情報としては、『アスペクト比』、『画像再生時のアスペクト比表示状態』等がある。
【００３８】
測光回路３０７は、接眼レンズ３０６の近傍に配設された測光センサ（図示せず）に接続されており、該センサを通じて被写体輝度を測定する。測光回路３０７の測定結果は、システムコントローラ３２４へ送られる。ここで、測光回路３０７に接続される不図示の測光センサは、図８の８Ａに示すように、撮影画面内の複数の測光エリア（Ｓ１乃至Ｓ２１）で測光ができるように分割されている。
【００３９】
また、システムコントローラ３２４は、レンズ駆動機構２０３を制御することにより、被写体像を撮像素子３１１上に結像させる。また、システムコントローラ３２４は、設定されたＡｖ値に基いて、絞り駆動機構２０５を制御し、さらに、設定されたＴｖ値に基いてシャッタ制御回路３１３に制御信号を出力する。
【００４０】
フォーカルプレーンシャッタ３０９の先幕および後幕は、駆動源がバネにより構成されており、フォーカルプレーンシャッタ３０９の走行後、次の動作のためにバネチャージを要する。シャッタチャージ／ミラー駆動機構３１２は、このバネチャージを制御する。また、シャッタチャージ／ミラー駆動機構３１２により、クイックリターンミラー３０２のアップ／ダウン駆動が行われる。
【００４１】
また、上記のシステムコントローラ３２４には、画像データコントローラ（ＤＳＰ）３２１が接続されている。この画像データコントローラ３２１は、ＤＳＰ（デジタル信号プロセッサ）により構成される補正データサンプル回路及び補正回路である。そして、撮像素子３１１の制御を、撮像素子３１１から入力された画像データの補正や加工を、設定されたアスペクト比情報に基く画像データ処理などをシステムコントローラ３２４の指令に基いて実行する。なお、画像データの補正や加工の項目の中には、ホワイトバランスも含まれている。ホワイトバランスとは、撮影画像データの中の最大の被写体輝度の部分を所定の色（白色）に補正する機能である。ホワイトバランスについては、システムコントローラ３２４からの命令により補正量を変更することが可能である。
【００４２】
上記の画像データコントローラ３２１には、タイミングパルス発生回路３１８、Ａ／Ｄコンバータ３１７、ＤＲＡＭ３２２、Ｄ／Ａコンバータ３１６および画像圧縮回路３２０が接続されている。これら画像データコントローラ３２１乃至画像圧縮回路３２０により、撮影処理手段が構成される。
【００４３】
タイミングパルス発生回路３１８は、撮像素子３１１を駆動する際に必要なパルス信号を出力する。Ａ／Ｄコンバータ３１７は、撮像素子３１１と共にタイミングパルス発生回路３１８で発生されたタイミングパルスを受け、撮像素子３１１から出力される被写体像に対応したアナログ信号をデジタルの画像データに変換する。ＤＲＡＭ３２２は、得られた画像データ（加工や所定のフォーマット、アスペクト比へのデータ変換が行われる前のデジタルデータとしての画像データ）を一時的に記憶する。或いは、画像データ記録媒体３１９から読み出した画像データを一旦記憶したり、ＥＥＰＲＯＭ３２３から読み出したアスペクト比情報を一旦記憶したりする。
【００４４】
Ｄ／Ａコンバータ３１６には、エンコーダ回路３１５を介して画像表示回路３１４が接続されている。さらに、画像圧縮回路３２０には、画像データ記録媒体３１９が接続されている。画像表示回路３１４は、撮像素子３１１で撮像された画像データを表示するための回路であり、前述した本デジタルカメラ１００の背面に設けられた背面モニタ１２０により構成されており、一般にはカラーの液晶表示パネルを用いている。
【００４５】
画像データコントローラ３２１は、ＤＲＡＭ３２２上の画像データを、Ｄ／Ａコンバータ３１６によりアナログ信号に変換してエンコーダ回路３１５へ出力する。エンコーダ回路３１５はこのＤ／Ａコンバータ３１６の出力を、上記の画像表示回路３１４を駆動する際に必要な映像信号（例えば、ＮＴＳＣ映像信号）に変換する。
【００４６】
システムコントローラ３２４は、アスペクト比情報処理プログラム３２４ａを保有する。ここで、本デジタルカメラ１００がアスペクト比処理モードとされ、システムコントローラ３２４がアスペクト比設定手段として機能してアスペクト比処理の１つを選択したとする。すると、ＥＥＲＯＭ２２３内に格納されている各種アスペクト比処理の中から選択されたアスペクト比処理を読み出し、撮影中の画像データに重畳して背面モニタ１２０表示用データとして表示処理する。或いはアスペクト比処理モード時に、アスペクト比撮影したものを画像データの一部としてアスペクト比処理識別信号を付加した状態で画像ファイルとして画像データ記録媒体３１９へ画像記録する。したがって、このように画像データ記録媒体３１９へ記録するため、画像データコントローラ３２１へアスペクト比処理識別信号を出力する処理を行なう。
【００４７】
また、アスペクト比設定により選択されたアスペクト比処理に基き、分割測光の測光処理、焦点検出エリアの選択処理を行うと共に、撮影画像に関するホワイトバランス処理に関する指示を画像データコントローラ３２１へ出力する。また、アスペクト比情報処理プログラム３２４ａは、ユーザの操作に従い、マスクの選択、マスク表示、アスペクト比情報の記録および再生の制御を行なう。
【００４８】
本デジタルカメラ１００で撮影した画像ファイルはタグ構造をとっており、画像データ記録時にファイル名や撮影日時、絞り、シャッタスピードといった撮影条件等の情報をタグ内に書き込む。アスペクト比情報処理プログラム３２４ａは、ユーザが選択したアスペクト比情報をこれらの情報と同様にタグ内に書き込む。或いは、画像ファイルとは別に（＝タグに書き込まずに）ファイル名や撮影日時と関連付けてマスクＮｏ．を記録してもよい。すなわち、画像データとアスペクト比情報が対応できる形態で記録すればよい。また、ユーザは、アプリケーションソフト等を使い画像ファイルのタグ情報（例えばその画像の撮影日時など）を知ることができる。
【００４９】
画像圧縮回路３２０は、ＤＲＡＭ３２２に記憶された画像データの圧縮や変換（例えば、ＪＰＥＧデータへの変換）を行うための回路である。変換された画像データは、各種撮影条件等のデータとアスペクト比情報をタグ内へ付加された状態で、画像データ記録媒体３１９へ格納される。この画像データ記録媒体３１９としては、ハードディスク、半導体メモリ、磁気ディスク等が使用される。
【００５０】
さらに、システムコントローラ３２４には、表示回路３２６、メイン電子ダイヤルＳＷ３２７、サブ電子ダイヤルＳＷ３２８、および露出モード設定ＳＷ３２９が接続される。さらに、第１レリーズＳＷ３３０、第２レリーズＳＷ３３１、Ｍｅｎｕ選択ＳＷ３３２、決定ＳＷ３３３、ディスプレイＳＷ３３４、画像拡大ＳＷ３３５、画像縮小ＳＷ３３６等も接続されている。
【００５１】
表示回路３２６は、本デジタルカメラ１００の上面に設けられた上面表示部１０４へ上記の各ＳＷ類により設定されたカメラの撮影動作状態を表示するものである。メイン電子ダイヤルＳＷ３２７は、メイン電子ダイヤル１０２の回転操作に応じてシャッタ秒時や絞り値等の各種撮影条件の入力設定を行う為のＳＷであり、その回転操作に応じて撮影に関するパラメータを変更させる。
【００５２】
サブ電子ダイヤルＳＷ３２８は、サブ電子ダイヤル１１５の回転操作に応じて、撮影情報である調光量補正値の設定変更、ＩＳＯ感度の設定設定、ＷＢモードの設定変更を行なう。さらに、メニューボタン１１０により表示される撮影画像に関する各種設定項目の選択や撮影画像の画像送り動作さを行う。
【００５３】
また、ディスプレイボタン１１２により撮影画像を背面モニタ１２０へ表示中に拡大／縮小表示を行なった際、メイン電子ダイヤル１０２を回転させる（メイン電子ダイヤルＳＷ３２７の入力による）ことで、拡大表示領域を左右方向へ移動可能である。また、サブ電子ダイヤル１１５を回転させる（サブ電子ダイヤルＳＷ３２８の入力による）ことで、拡大表示領域を上下方向へ移動可能に構成されている。
【００５４】
露出モード設定ＳＷ３２９は、ユーザが所望の撮影露光動作を本デジタルカメラ１００に実行させるためのモードを設定するＳＷである。撮影モードダイヤル１０３の回転に応じて露出モードの選択が行なわれ、システムコントローラ３２４へ露出モードが入力される。
【００５５】
レリーズボタン１０１の第１レリーズＳＷ３３０、第２レリーズＳＷ３３１は、レリーズボタン１０１（図１）の押下によりＯＮされるＳＷである。前述したように、第１リーズＳＷ３３０は、測光や焦点検出エリアなどの撮影準備動作を開始させるためのＳＷである。また、第２レリーズＳＷ３３１は、シャッタ駆動動作が開始され、撮影動作（静止画像を取得するための電荷蓄積および電荷読み出し動作）を開始させる露光動作を行なうスイッチである。
【００５６】
Ｍｅｎｕ選択ＳＷ３３２は、メニューボタン１１０（図２）の押下により、背面モニタ１２０へ撮影画像に関する各種設定項目を表示させるＳＷであり、各種アスペクト比情報の設定項目の表示を行なうように構成されている。尚、Ｍｅｎｕ選択ＳＷにより撮影画像に関する各種設定項目を背面モニタ１２０へ表示させた状態で、サブ電子ダイヤル１１５を回転操作することで、各種設定項目の選択が可能となる。
【００５７】
決定ＳＷ３３３は、後述するように各種アスペクト比情報を選択決定する情報設定選択手段である。そして、ＳＥＴボタン１１６（図２）の押下により、Ｍｅｎｕ選択ＳＷ３３２により背面モニタ１２０へ表示され、サブ電子ダイヤル１１５の回転操作により選択された撮影画像に関する設定項目の入力操作を決定するＳＷである。
【００５８】
ディスプレイＳＷ３３４は、ディスプレイボタン１１２を押下することで、画像データ記録媒体３１９に記録されている画像を表示させるＳＷである。画像拡大ＳＷ３３５および画像縮小ＳＷ３３６は、拡大再生表示ボタン１１８および縮小表示ボタン１１７の押下によりＯＮされるＳＷである。ディスプレイボタン１１２により撮影画像を背面モニタ１２０への表示中に、拡大再生表示ボタン１１８を押下毎にシステムコントローラ３２４は、拡大表示指示を画像データコントローラ３２１へ出力することで画像の拡大表示を行う。また、拡大表示中に縮小表示ボタン１１７を押下毎にシステムコントローラ３２４は、表示画像の縮小表示指示を画像データコントローラ３２１へ出力することで画像の縮小表示を行うものである。
【００５９】
レンズユニット２００のレンズ制御回路２０４には、焦点距離や開放絞り値等の性能情報、レンズユニット２００を識別する固有の情報であるレンズＩＤ情報、およびシステムコントローラ３２４から通信により受け取った情報を記憶するメモリが設けられる。尚、ここでは、そのメモリは図示していない。また、性能情報およびレンズＩＤ情報は、デジタルカメラ１００への装着時における初期通信により、システムコントローラ３２４に送信され、システムコントローラ３２４はこれらをＥＥＰＲＯＭ３２３に記憶させる。
【００６０】
デジタルカメラ１００には、パーソナルコンピュータに代表される外部接続機器３４０を接続するための通信インターフェース回路３２５が設けられている。システムコントローラ３２４は、通信インターフェース回路３２５介して外部接続機器３４０と通信することができる。ここでは、たとえば外部接続機器３４０はパーソナルコンピュータである。  図６の６Ａ乃至６Ｄ、図７の７Ａ乃至７Ｃは、本発明の実施形態であるデジタルカメラ１００における、ユーザが交換可能な各種のフォーカシングスクリーンである。図６の６Ａは標準となるフォーカシングスクリーン１４０であり、本デジタルカメラ１００の標準アスペクト比は、１３５フォーマットのフィルムカメラと同一の２：３で構成されている。
【００６１】
また、図６の６Ｂ乃至６Ｄは、ファインダ視野１３０のアスペクト比を１：１に変更する場合に用いる交換フォーカシングスクリーンである。図６の６Ｂは、縦寸法を基準にアスペクト比１：１とした場合に左右部分をブラックアウトするようにブラックマスク１４３をフォーカシングスクリーン上へ形成した場合を示す。この時、１９点の焦点検出ポイントマーク１４２の内、左右の各３点の焦点検出ポイントマーク部１４２ａおよび１４２ｂは、ブラックマスク１４３により全部又は一部が隠されてしまう為に表示を行わないように構成されている。
【００６２】
６Ｃは、縦寸法を基準にアスペクト比１：１とした場合に、左右部分を半透明とするようにハーフトーンマスク１４４をフォーカシングスクリーン上へ形成するフォーカシングスクリーンである。
【００６３】
また６Ｄは、縦寸法を基準にアスペクト比１：１とした場合に左右の境界部分を線表示とするように線マスク１４５をフォーカシングスクリーン上へ形成するフォーカシングスクリーンである。
【００６４】
同様に、図７の７Ａは、縦寸法を基準にアスペクト比４：５とした場合に、左右部分をブラックアウトするようにブラックマスク１４６をフォーカシングスクリーン上へ形成するフォーカシングスクリーンである。
【００６５】
前述した６Ａのフォーカシングスクリーンでは、１９点の焦点検出ポイントマーク１４２の内、左右の各３点の焦点検出ポイントマーク部１４２ａ及び１４２ｂは、ブラックマスク１４３により全部又は一部が隠されてしまっていた。しかし、アスペクト比４：５のフォーカシングスクリーンでは、ブラックマスク１４６により焦点検出ポイントマーク部１４２ａおよび１４２ｂが画されてしまうことが無いので、通常の表示を行っている。
【００６６】
また７Ｂは、縦寸法を基準にアスペクト比４：５とした場合に左右部分を半透明とするようにハーフトーンマスク１４７をフォーカシングスクリーン上へ形成するフォーカシングスクリーンである。
【００６７】
７Ｃは、縦寸法を基準にアスペクト比４：５とした場合に左右の境界部分を線表示とするように線マスク１４８をフォーカシングスクリーン上へ形成するフォーカシングスクリーンである。
【００６８】
本デジタルカメラ１００のユーザは、撮影する被写体に応じてファインダ視野１３０のアスペクト比を変更するフォーカシングスクリーンを必要に応じて交換することが可能に構成されている。例えば、スタジオにおけるポートレート撮影などにおいては、従来、６×６フォーマットの銀塩フィルムを用いるカメラを使用する場合が多い。したがって、６×６フォーマット（アスペクト比１：１）に慣れ親しんだユーザにとっては、１３５フォーマット（アスペクト比２：３）に使用に不便を感じてしまう。この場合には、ファインダ視野１３０へアスペクト比１：１の指標となるマークを有する交換フォーカシングスクリーン１４３乃至１４５のいずれかを装着することで、従来と同等の使い勝手を達成することが出来る。
【００６９】
また、商品撮影などにおいては、従来、４×５フォーマットの銀塩シートフィルムを用いるカメラを使用する場合が多い。したがって、４×５フォーマット（アスペクト比４：５）に慣れ親しんだユーザにとっては、１３５フォーマット（アスペクト比２：３）に使用に不便を感じてしまう。この場合には、ファインダ視野１３０へアスペクト比４：５の指標となるマークを有する交換フォーカシングスクリーン１４６乃至１４８のいずれかを装着することで、従来と同等の使い勝手を達成することが出来る。
【００７０】
次に、以上のように構成された本発明の実施形態に係るデジタルカメラ１００の特徴部分の機能及びその作用につき順次説明する。
【００７１】
図９の９Ａ乃至９Ｆは、図２に示したメニューボタン１１０を押すことによって、たとえば背面モニタ１２０に表示されるメニュー項目のうち、本発明の実施形態に係る特徴部分をそれぞれ示している。すなわち、フォーカシングスクリーン１４０を交換したユーザは、メニューボタン１１０を押下する。それにより図９の９Ａに示す設定項目を表示し、記録画質４００、アスペクト比表示４１０、再生時のアスペクト比表示４２０、拡大再生範囲４３０、撮影情報設定範囲４４０の各設定を行う。
【００７２】
図９の９Ｂにおいて、メニューボタン１１０を押下後、サブ電子ダイヤル１１５にて記録画質４００を選択し、ＳＥＴボタン１１６が押下されると、設定可能な記録画質４００の項目が一覧表示される。この時、すでに設定されている記録画質４００以外がグレー表示となり、選択されている記録画質が分るように表示されている。選択可能な記録画質としては、ＪＰＥＧ画像のサイズとして『Ｌ（Large）』サイズ、『Ｍ（Middle）』サイズ、『Ｓ（Small）』サイズの３種類を有する。さらに、ＪＰＥＧ画像の圧縮率として『低圧縮（円弧マーク４０１ａ）』および『高圧縮（階段マーク４０４ａ）』の２種類を有する。そして、画像記録する場合、ＪＰＥＧ画像としてはサイズ、及び圧縮率の組合せで６種類の記録画質（４０１乃至４０６）が選択可能となっている。
【００７３】
また、ＪＰＥＧ画像のほかに、撮像素子３１１からの画像データを画像処理せずに非圧縮としたＲＡＷ画像４０７が選択可能となっている。また、ＪＥＰＧ画像とＲＡＷ画像の両方を画像データ記録媒体３１９へ記録可能な『ＲＡＷ＋ＪＰＥＧ』モードを６種類（４０７ａ乃至４０７ｆ）選択可能となっている。従って、記録画質としては、ＪＰＥＧ画像：６種類（４０１乃至４０６）、ＲＡＷ画像：１種類（４０７）、ＲＡＷ画像＋ＪＰＥＧ画像：６種類（４０７ａ乃至４０７ｆ）の合計１３種類が選択可能である。
【００７４】
図９の９Ｂにおいては、『Ｌ（Large）』サイズ／『低圧縮（円弧マーク）』４０１のＪＰＥＧ画像が選択状態となっており、この状態でＳＥＴボタン１１６を押下されると記録画質が決定され、図９の９Ａの状態に戻る。尚、選択決定された『記録画質４００』は、ＥＥＰＲＯＭ３２３へ記録され、撮影後の画像処理において画像データコントローラ３２１がシステムコントローラ３２４を介して記録画質情報を入手し、画像圧縮回路３２０と共に画像処理を行う。
【００７５】
次に、アスペクト比表示４１０を設定するには、再度、メニューボタン１１０を押下後、サブ電子ダイヤル１１５にて、アスペクト比選択手段である『アスペクト比表示４１０』を選択する。そしてＳＥＴボタン１１６が押下されると、９Ｃに示すように、設定可能な『アスペクト比表示４１０』の項目が一覧表示される。この時、すでに設定されているアスペクト比表示４１０以外がグレー表示となり、選択されているアスペクト比が分るように表示されている。設定可能なアスペクト比としては、標準状態である２：３『２×３』４１１、及び、１：１『１×１』４１２、４：５『４×５』４１４が選択可能となっている。
【００７６】
また、１：１『１×１』４１２、４：５『４×５』４１４の２種類に関しては、実際の撮影画像を選択したアスペクトにトリミング画像処理した上で選択したアスペクト比を画像ファイルのタグ内に書き込み、画像データ記録媒体３１９へ記録する。又は、撮影画像自体は一切のトリミング画像処理を行わず、選択したアスペクト比を画像ファイルのタグ内に書き込みのみする。これらは、ユーザが選択できるように構成されている。そして、図９の９Ｃにおいて、アスペクト比選択手段である『アスペクト比表示４１０』の項目により選択される『１×１』４１２および『４×５』４１２は、第１アスペクト比情報設定手段となる。
【００７７】
ここで、『１×１』４１２または『４×５』４１２が選択された場合には、撮影画像を選択したアスペクトにトリミング画像処理し、また、選択したアスペクト比を画像ファイルのタグ内に書き込み、画像データ記録媒体３１９へ記録する。また、アスペクト比選択手段である『アスペクト比表示４１０』の項目で選択される『１×１（Ｄａｔａのみ）』４１３、『４×５（Ｄａｔａのみ）』４１５は、第２アスペクト比情報設定手段となる。
【００７８】
『１×１（Ｄａｔａのみ）』４１３、『４×５（Ｄａｔａのみ）』４１５が選択された場合は、撮影画像データ自体には一切のトリミング画像処理を行わず、選択したアスペクト比を画像ファイルのタグ内に書き込み、画像データ記録媒体３１９へ記録する。図９の９Ｃにおいては、『１×１（Ｄａｔａのみ）』４１３のアスペクト比が選択状態となっており、この状態で情報設定選択手段であるＳＥＴボタン１１６を押下されるとアスペクト比が決定され、図９の９Ａの状態に戻る。
【００７９】
尚、選択決定された『アスペクト比』４１０は、ＥＥＰＲＯＭ３２３へ記録され、撮影後の画像処理において画像データコントローラ３２１がシステムコントローラ３２４を介してアスペクト比情報を入手し、設定されたアスペクト比に基き画像処理を行う。さらに、選択したアスペクト比を画像ファイルのタグ内に書き込み処理を行う。
【００８０】
図１０は、アスペクト比表示４１０が設定された時の、アスペクト比情報処理の動作のフローチャートを示している。図１０において、ステップＳ６００にて、本デジタルカメラ１００の撮影終了後、画像データコントローラ３２１がシステムコントローラ３２４を介してＥＥＰＲＯＭ３２３へ記録されているスペクト比情報を入手する。次にステップＳ６０１に移行し、撮影画像に対してアスペクト比表示４１０が設定されているか否かの判定を行う。
【００８１】
アスペクト比表示４１０の設定が成されていない場合（『２×３』４１１が選択されていた場合）には、ステップＳ６０３へ進み、撮影画面の全領域に対して画像処理を行う。しかし、アスペクト比表示４１０の設定が成されている場合にはステップＳ６０２へ進み、アスペクト比のデータのみを画像ファイルへ付加（『１×１（Ｄａｔａのみ）』４１３、『４×５（Ｄａｔａのみ）』４１５が選択）するか否かの判定を行う。ここでアスペクト比のデータのみを画像ファイルへ付加（『１×１（Ｄａｔａのみ）』４１３、『４×５（Ｄａｔａのみ）』４１５）が選択されていれば、ステップＳ６０３へ進み、撮影画面の全領域に対して画像処理を行う。
【００８２】
しかし、ステップＳ６０２にてアスペクト比のデータのみが選択されていない場合（『１×１』４１２、『４×５』４１４が選択されていた場合）、ステップＳ６０５へ進み、撮影画面を選択されたアスペクト比に応じてトリミング画像処理を行う。ステップＳ６０４では、ステップＳ６０３、ステップＳ６０５にて処理された画像データに対して、設定されているアスペクト比表示４１０の情報を画像ファイルのタグ内に書き込み処理を行う。さらに、ステップＳ６０６にて画像データ記録媒体３１９へ画像データを記録し、処理を終了する。
【００８３】
次に、図９の９Ａに示す、再生時のアスペクト比表示４２０でアスペクト比の設定をする。ここでは、画像データ記録媒体３１９に記録された画像ファイルを再生表示する際に、画像ファイルのタグ内に記録されているアスペクト比情報に基き、再生画像に対するアスペクト比の設定状態を表示する表示形態を選択するものである。
【００８４】
メニューボタン１１０を押下後、サブ電子ダイヤル１１５にて『再生時のアスペクト比表示』４２０を選択し、ＳＥＴボタン１１６を押下する。すると、設定可能な『再生時のアスペクト比表示』４２０の項目が一覧表示される。この時、すでに設定されている項目以外がグレー表示となり、選択されている再生時のアスペクト比表示が分るように表示されている。
【００８５】
図１１は、画像データの再生時のアスペクト比表示４２０が設定されるアスペクト比表示設定の動作を説明するフローチャートを示している。図１１において、ステップＳ６１０にて再生時のアスペクト比表示４２０が選択されると、ステップＳ６１１へ進み、システムコントローラ３２４は、ＥＥＰＲＯＭ３２３内に記録されているアスペクト比表示４１０の設定状態を判定する。
【００８６】
ステップＳ６１１にて、アスペクト比表示４１０の設定が成されていない場合（『２×３』４１１が選択されていた場合）には、アスペクト比に関するデータは無いと判定してステップＳ６１５へ進む。そして、再生時のアスペクト比表示４２０での選択操作を出来ないようにする。ステップＳ６１１にて、アスペクト比表示４１０の設定がされている場合には、ステップＳ６１２へ進む。そして、アスペクト比のデータのみを画像ファイルへ付加（『１×１（Ｄａｔａのみ）』４１３、『４×５（Ｄａｔａのみ）』４１５が選択）するか否かの判定を行う。
【００８７】
ここで、アスペクト比のデータのみを画像ファイルへ付加（『１×１（Ｄａｔａのみ）』４１３、『４×５（Ｄａｔａのみ）』４１５）が選択されていれば、ステップＳ６１３へ進む。そして、再生時のアスペクト比表示４２０での選択操作を許可し、再生時のアスペクト比表示４２０の選択／決定を行う。ステップＳ６１４では、ステップＳ６０３およびステップＳ６０５にて設定された再生時のアスペクト比表示４２０の情報を決定し、ＥＥＰＲＯＭ３２３内に記録し、再生時のアスペクト比表示４２０の設定を終了し、ステップＳ６１６のスタンバイに移行する。
【００８８】
設定可能な再生時のアスペクト比表示４２０としては、以下のものが選択可能とされる。すなわち、フォーカシングスクリーン１４０と同様の表示を行うように『表示無し』４２１（図６の６Ａ）、『線表示』４２２（図６の６Ｄ）、『ハーフトーン表示』４２３（図６の６Ｃ）、『ブラックアウト表示』４２４（図６の６Ｂ）が選択可能となっている。
【００８９】
尚、前述したアスペクト比表示４１０の設定（図９の９Ｃ）において、『１×１』４１２、『４×５』４１４が選択された場合には、撮影画像データを選択したアスペクト比にトリミング画像処理されてしまう。そのため、再生時のアスペクト比表示の選択は出来ないように構成されている。
【００９０】
また、前述したアスペクト比の設定（図９の９Ｃ）において、『１×１（Ｄａｔａのみ）』４１３、『４×５（Ｄａｔａのみ）』４１５が選択されている場合には、この時、選択決定された『再生時のアスペクト比表示』４２０をＥＥＰＲＯＭ３２３へ記録する。そして、撮影後の画像処理において画像データコントローラ３２１がシステムコントローラ３２４を介して再生時のアスペクト比表示情報を入手し、設定されて再生時のアスペクト比表示情報を画像ファイルのタグ内に書き込み処理を行うように構成されている。
【００９１】
従って、設定された再生時のアスペクト比表示情報を有する画像ファイルをデジタルカメラ１００、またはパーソナルコンピュータに代表される外部接続機器３４０による専用アプリケーションソフトにより画像ファイルの再生表示時は、以下のようになる。すなわち、画像ファイルのタグに記録されている再生時のアスペクト比表示情報に基き、再生画像に対してアスペクト比の状態表示を自動で行うことが可能となる。
【００９２】
図１２の１２Ａ乃至１２Ｆは、ディスプレイボタン１１２が押下されたときの背面モニタ１２０の再生画像状態を示すものである。同図において、５００は記録されている画像データの再生表示画面である。５０１ａは記録画質４００にて選択された記録画質の表示である。５０２は表示された画像の撮影時のシャッタ秒時を表示、５０３は表示された画像の撮影時の撮影レンズの絞り値を表示している。シャッタ秒時５０２、絞り値５０３は、画像データ記録媒体３１９より画像ファイルを読み込んだ際に画像ファイルに記録されているタグより参照される。
【００９３】
５０４は画像ファイルのファイルＮｏ．を表示している。５０５ａ、５０５ｂおよび５０５ｃは、再生時のアスペクト比表示４１０にて選択されたアスペクト比表示のマークである。ここで、５０５ａはブラックアウト表示４２４、５０５ｂはハーフトーン表示４２３、５０５ｃは線表示４２２をそれぞれ表しており、選択されている再生時のアスペクト比表示４１０に応じて各マークが表示される。５０６ａおよび５０６ｂはアスペクト比表示４１０にて選択されたアスペクト比データの表示である。
【００９４】
尚、アスペクト比表示４１０にて『２×３』４１１、『１×１』４１２、『４×５』４１４が選択された場合には、撮影画像を選択したアスペクト比にトリミング画像処理されてしまう為、アスペクト比表示のマークは表示されない。そして、選択されたアスペクト比で図１２の１２Ｂに示す様に再生表示される。
【００９５】
また、アスペクト比表示４１０にて『１×１（Ｄａｔａのみ）』４１３、『４×５（Ｄａｔａのみ）』４１５が選択され、かつ再生時のアスペクト比表示４１０にて表示なし４２１が選択されている場合には、以下のようになる。すなわち、設定されたアスペクト比によるトリミング処理が一切されていない画像データに加え、図１２の１２Ｃに示す様にアスペクト比データの表示５０６ａおよび５０６ｂのみが表示される。
【００９６】
アスペクト比表示４１０にて『１×１（Ｄａｔａのみ）』４１３、『４×５（Ｄａｔａのみ）』４１５が選択され、かつ、再生時のアスペクト比表示４１０にて線表示４２２が選択されている場合には、以下のようになる。すなわち、図１２の１２Ｄに示す様に再生画像５００に選択されているアスペクト比に応じた線マスク５１０がオーバーラップ表示される。
【００９７】
再生時のアスペクト比表示４１０にてブラックアウト表示４２４が選択されている場合には、１２Ｅに示す様に再生画像５００に選択されているアスペクト比に応じたブラックアウトマスク５１２がオーバーラップ表示される。
【００９８】
アスペクト比表示４１０にて『１×１（Ｄａｔａのみ）』４１３、『４×５（Ｄａｔａのみ）』４１５が選択され、かつ、再生時のアスペクト比表示４１０にてハーフトーン表示４２３が選択されている場合には、以下のようになる。すなわち、１２Ｆに示す様に、再生画像５００に選択されているアスペクト比に応じたハーフトーンマスク５１１がオーバーラップ表示される。
【００９９】
次に、図９の９Ａにおいて、拡大再生範囲４３０を設定する。ここでは、画像データ記録媒体３１９に記録された画像ファイルを拡大再生表示する際に、拡大再生の可能範囲を設定する。
【０１００】
メニューボタン１１０を押下後、サブ電子ダイヤル１１５にて『拡大再生範囲』４３０を選択し、ＳＥＴボタン１１６が押下されると設定可能な『拡大再生範囲』４３０の項目が一覧表示される。この時、すでに設定されている項目以外がグレー表示となり、選択されている拡大再生範囲が分るように表示されている。
【０１０１】
設定可能な拡大再生範囲４３０としては、設定されたアスペクト比に関係なく全画像範囲を対象とする『全範囲』４３１か、設定されたアスペクト比の範囲内のみ対象とする『アスペクト範囲』４３２かが選択可能となっている。
【０１０２】
尚、前述したアスペクト比の設定（図９の９Ｃ）で、『１×１』４１２、『４×５』４１４が選択された場合には、撮影画像を選択したアスペクト比にトリミング画像処理されてしまう。そのため、拡大再生範囲は『アスペクト範囲』４３２のみとなり、その他の選択は出来ないように構成されている。
【０１０３】
また、前述したアスペクト比の設定（図９の９Ｃ）で、『１×１（Ｄａｔａのみ）』４１３、『４×５（Ｄａｔａのみ）』４１５が選択されている場合には、この時選択決定された『拡大再生範囲』４３０をＥＥＰＲＯＭ３２３へ記録する。そして、撮影後の画像処理において画像データコントローラ３２１がシステムコントローラ３２４を介して再生時のアスペクト比表示情報を入手し、設定された再生時の拡大再生範囲情報を画像ファイルのタグ内に書き込み処理を行うように構成されている。
【０１０４】
従って、設定された拡大再生範囲情報を有する画像ファイルを本デジタルカメラ１００、または外部接続機器３４０による専用アプリケーションソフトにより画像ファイルの再生表示時には、次のようにすることができる。すなわち、画像ファイルのタグに記録されている拡大再生範囲情報に基き、再生画像に対して拡大再生範囲を自動で行うことが可能となっている。
【０１０５】
図１３の１３Ａは、ディスプレイボタン１１２を押下後に、拡大再生表示ボタン１１８を押下した時の背面モニタ１２０の再生画像状態を示すものである。拡大再生表示（図１３の１３Ａ）画面では、縮小された全画面５２０に対する拡大範囲を示すナビゲータ表示５２１が表示され、全画面に対してどこの部分が拡大表示されているのかがわかる様に構成されている。
【０１０６】
アスペクト比表示４１０にて『１×１（Ｄａｔａのみ）』４１３、『４×５（Ｄａｔａのみ）』４１５が選択され、かつ、拡大再生範囲４３０にて『全範囲』４３１が選択されている場合には、以下のようになる。すなわち、図１３の１３Ｂに示す様に設定されたアスペクト比の範囲外であるハーフトーンマスク５１１部分も含めて拡大再生表示範囲として選択可能としている。
【０１０７】
アスペクト比表示４１０にて『１×１（Ｄａｔａのみ）』４１３、『４×５（Ｄａｔａのみ）』４１５が選択され、かつ、拡大再生範囲４３０にて『アスペクト範囲』４３２が選択されている場合には、以下のようになる。すなわち、図１３の１３Ｃに示す様に設定されたアスペクト比の範囲を示す線マスク５１０の内側のみ拡大再生表示範囲として選択可能とし、設定されたアスペクト比の範囲外は拡大再生表示範囲として選択不可としている。
【０１０８】
また、前述したアスペクト比の設定（図９の９Ｃ）において、『１×１』４１２、『４×５』４１４が選択された場合には、以下のようになる。すなわち、撮影画像を選択したアスペクト比にトリミング画像処理されてしまう為、拡大再生範囲は図１３の１３Ｄに示す様に設定されたアスペクト比の範囲外は拡大再生表示範囲として選択不可としている。  図１４は、ディスプレイボタン１１２が押下されたときの背面モニタ１２０の画像再生の動作を示すフローチャートを示すものである。まず、スタンバイ状態（ステップＳ６２０）から、ステップＳ６２１にてディスプレイボタン１１２が押下されたのを検出する。すると、システムコントローラ３２４は、画像データコントローラ３２１を介して画像データ記録媒体３１９より、記録されている画像データの読み込みを指示し、ＤＲＡＭ３２２へ一旦記憶する。
【０１０９】
ステップＳ６２３おいて、読み込まれた画像データのタグ内情報にアスペクト比表示４１０にて設定されている情報が、アスペクト比のデータのみか否かの判定を行う。ステップＳ６２３で、アスペクト比表示４１０の設定がアスペクト比のデータのみでない場合（『２×３』４１１、『１×１』４１２、『４×５』４１４が選択されていた場合）は、記録されているアスペクト比の画像データを表示すべくステップＳ６２９−２へ進む。そして図１２の１２Ｂに示す様にトリミング処理され記録されたアスペクト比に基き、画像データを表示する。
【０１１０】
ステップＳ６２３においてアスペクト比表示４１０の設定がアスペクト比のデータのみの場合（１×１（Ｄａｔａのみ））４１３、『４×５（Ｄａｔａのみ）』が選択されていた場合）には、ステップＳ６２４へ進む。ステップＳ６２４では、再生時のアスペクト比表示４１０の設定状態を判定する。
【０１１１】
ステップＳ６２４において、再生時のアスペクト比表示４１０が表示無し４２１と設定されていた場合には、ステップＳ６２９−２へ進む。そして、図１２の１２Ａおよび１２Ｃに示す様に設定されたアスペクト比にトリミング処理されていない撮影された全領域の画像データを表示する。
【０１１２】
また、ステップＳ６２４において、再生時のアスペクト比表示４１０が『線表示』４２２、『ハーフトーン表示』４２３、『ブラックアウト表示』４２４の何れかに設定されていた場合には、ステップＳ６２５へ進む。そして図１２の１２Ｄ、１２Ｅおよび１２Ｆに示す様に線マスク５１０、ブラックアウトマスク５１２およびハーフトーンマスク５１１の何れが選択されているかを決定する。その後、設定されたアスペクト比にトリミング処理前の撮影された全領域の画像データと共に、１２Ｄ、１２Ｅおよび１２Ｆの様に線マスク５１０、ブラックアウトマスク５１２、ハーフトーンマスク５１１を表示画像へオーバーラップ表示するマスクを決定する。
【０１１３】
ステップＳ６２６では、ステップＳ６２５にて背面モニタ１２０に表示された画像を拡大再生表示するか否かの判定を行う。拡大再生表示ボタン１１８を押下（画像拡大ＳＷ３３５がＯＮ）されるとシステムコントローラ３２４は、再生表示されている画像を拡大すべく画像データコントローラ３２１を制御して拡大再生のための画像処理を実行させ、ステップＳ６２７へ進む。ステップＳ６２６にて拡大再生表示ボタン１１８が押下されずに拡大再生表示が行われない場合には、ステップＳ６２９−２へ進む。
【０１１４】
そして、設定されたアスペクト比にトリミング処理前の撮影された全領域の画像データと共に、１２Ｄ、１２Ｅおよび１２Ｆのマスク５１０、マスク５１２、マスク５１１の何れか選択されたマスクを表示画像へオーバーラップ表示する。
【０１１５】
ステップＳ６２７では、拡大再生範囲４３０の設定に応じて拡大再生の対象となる範囲を判定している。ステップＳ６２７において拡大再生範囲４３０が『全範囲』４３１を選択している場合には、以下のようになる。すなわち、図１３の１３Ｂに示す様に設定されたアスペクト比の範囲外であるハーフトーンマスク５１１部分も含めて拡大再生表示範囲として選択可能とし、全範囲の画像に対して拡大再生表示が可能なように画像処理、及び、拡大再生範囲の選択処理を行う。そして、ステップＳ６２９−２へ進み、拡大再生表示を行うべく画像表示処理を行う。
【０１１６】
また、ステップＳ６２７において『アスペクト範囲』４３２が選択されている場合には、以下のようになる。すなわち、図１３の１３Ｃに示す様に、設定されたアスペクト比の範囲を示す線マスク５１０の内側のみ拡大再生表示範囲として選択可能とし、設定されたアスペクト比の範囲外は拡大再生表示範囲として選択不可とする。そして、ステップＳ６２９−２へ進み拡大再生表示を行うべく画像表示処理を行う。
【０１１７】
次に図９の９Ａにおいて、撮影情報設定範囲４４０を設定する。ここでは、撮影に関する情報である、測光処理範囲、焦点検出ポイント選択範囲、ホワイトバランス処理方法について設定されたアスペクト比に応じて処理を行う。
【０１１８】
メニューボタン１１０を押下後、サブ電子ダイヤル１１５にて『撮影情報設定範囲』４４０を選択し、ＳＥＴボタン１１６が押下されると設定可能な『撮影情報設定範囲』４４０の項目が一覧表示される。この時、すでに設定されている項目以外がグレー表示となり、選択されている拡大再生範囲が分るように表示されている。
【０１１９】
設定可能な撮影情報設定範囲４４０としては、設定されたアスペクト比に関係なく全画像範囲を対象とする『全範囲』４４１か、設定されたアスペクト比の範囲内のみ対象とする『アスペクト範囲』４４２かが選択可能となっている。
【０１２０】
尚、前述したアスペクト比の設定（図９の９Ｃ）において、『１×１』４１２、『４×５』４１４が選択された場合には、以下のようになる。すなわち、撮影画像を選択したアスペクト比にトリミング画像処理されてしまう為、撮影情報設定範囲は『アスペクト範囲』４４２のみ対象となり、その他の選択は出来ないように構成されている。
【０１２１】
ここで、撮影情報設定範囲４４０の設定により、測光処理範囲、測光処理範囲、焦点検出ポイント選択範囲、ホワイトバランス処理方法が設定されたアスペクト比による処理方法を説明する。
【０１２２】
図８は、本発明のデジタルカメラ１００に搭載されている不図示の多分割測光測光センサが、図４に示すファインダ視野１３０内をどのように分割測光しているかを示すものである。本デジタルカメラ１００は、不図示の不図示の多分割測光測光センサにより、フォーカシングスクリーン１４０上に結像された被写体像を測光することにより、システムコントローラ３２４が露出制御値を算出決定する。不図示の多分割測光センサは、図８の８Ａに示す様に、ファインダ視野１３０を２１分割（Ｓ１乃至Ｓ２１）し、分割測光している。
【０１２３】
図６の６Ｂに示すブラックマスク１４３や、６Ｃに示すハーフトーンマスク１４４を有するフォーカシングスクリーンを使用した場合には、以下のようになる。すなわち、図８の８Ｂ、８Ｃに示す様に、不図示のアスペクト比範囲外の左側センサ（Ｓ１４、Ｓ１６、Ｓ１８、Ｓ１９）、及び右側センサ（Ｓ１５、Ｓ１７、Ｓ２０、Ｓ２１）の部分がブラックマスク１４３やハーフトーンマスク１４４にて一部隠される。そのため、正確な測光が不可能となってしまう。
【０１２４】
さらに、図７の７Ａに示すブラックマスク１４６や、７Ｃに示すハーフトーンマスク１４７を有するフォーカシングスクリーンを使用した場合には、以下のようになる。すなわち、図８の８Ｃに示す様に、不図示のアスペクト比範囲外の左側センサ（Ｓ１４、Ｓ１６、Ｓ１８、Ｓ１９）、及び右側センサ（Ｓ１５、Ｓ１７、Ｓ２０、Ｓ２１）の部分がブラックマスク１４６やハーフトーンマスク１４７にて一部隠される。そのため、正確な測光が不可能となってしまう。
【０１２５】
尚、図６の６Ｄの線マスク１４５を有するフォーカシングスクリーンを使用した場合には、図８の８Ｄに示す様に、線マスク１４５による不図示の多分割測光センサへの影響がほとんど無いため、正確な測光が可能となっている。また、アスペクト比の設定（図９の９Ｃ）において、『１×１』４１２、『４×５』４１４が選択された場合には、撮影画像を選択したアスペクト比にトリミング画像処理されてしまう為、不必要な部分を測光することで正確な測光が不可能となってしまう。
【０１２６】
従って、図６の６Ｂに示すブラックマスク１４３や、６Ｃに示すハーフトーンマスク１４４を有するフォーカシングスクリーンを使用する。又は、図７の７Ｂに示すブラックマスク１４３や、７Ｂに示すハーフトーンマスク１４７を有するフォーカシングスクリーンを使用する。さらには、前述したアスペクト比の設定（図９の９Ｃ）において、『１×１』４１２、『４×５』４１４が選択された場合には、撮影情報設定範囲４４０を『アスペクト範囲』４４２へ設定する。
【０１２７】
これにより、ブラックマスク１４３や図６の６Ｃに示すハーフトーンマスク１４４で一部隠される部分、及びトリミング処理により画像が削除されるアスペクト比の範囲外の部分に位置する測光センサをアスペクト比の情報をもとに、使用不可に制御される。すなわち、システムコントローラ３２４は、この場合、使用不可となるように測光回路３０７を制御する。
【０１２８】
尚、前述したアスペクト比の設定（図９の９Ｃ）において、『１×１』４１２、『４×５』４１４が選択された場合には、撮影画像を選択したアスペクト比にトリミング画像処理されてしまう。そのため、不必要な部分を測光することによる影響をなくす必要がある。そのため、前述したブラックマスク１４３や図６の６Ｃに示すハーフトーンマスク１４４を有するフォーカシングスクリーンを使用した場合と同様に撮影情報設定範囲４４０を『アスペクト範囲』４４２へ設定する。これにより、撮影情報設定範囲は『アスペクト範囲』４４２のみ対象となり、その他の選択は出来ないように構成されている。
【０１２９】
また、図６の６Ｄ、図７の７Ｃの線マスク１４５、１４８を有するフォーカシングスクリーンを使用し、アスペクト比表示４１０にて『１×１（Ｄａｔａのみ）』４１３、『４×５（Ｄａｔａのみ）』４１５が選択された場合には、以下のようになる。すなわち、図８の８Ｄに示す様に、線マスク１４５、１４８による不図示の多分割測光センサへの影響がほとんど無く、正確な測光が可能となる為、撮影情報設定範囲４４０を『アスペクト範囲』４４２へ設定する必要は無く、『全範囲』４４１としても良い。
【０１３０】
図１５は、撮影情報設定範囲４４０が設定された時の測光処理の動作を説明するフローチャートを示している。図１５において、ステップＳ６３０にて本デジタルカメラ１００の第１レリーズＳＷ３３０がＯＮとされ撮影準備動作が開始されると、ステップ６３１へ進む。そして、システムコントローラ３２４はＥＥＰＲＯＭ３２３へ記録されているスペクト比情報を入手する。ステップＳ６３１において、撮影画像データのアスペクト比表示４１０が設定されているか否かの判定を行う。
【０１３１】
アスペクト比表示４１０の設定が成されていない場合（『２×３』４１１が選択されていた場合）には、ステップＳ６３３へ進み、撮影画面の全領域に対して測光動作を行うか否かの判定を理を行う。アスペクト比表示４１０の設定が成されている場合には、ステップＳ６３２へ進む。そして、アスペクト比のデータのみを画像ファイルへ付加（『１×１（Ｄａｔａのみ）』４１３、『４×５（Ｄａｔａのみ）』４１５）が選択されているのか否かの判定を行う。
【０１３２】
ここでアスペクト比のデータのみを画像ファイルへ付加（『１×１（Ｄａｔａのみ）』４１３、『４×５（Ｄａｔａのみ）』４１５）が選択されていれば、ステップＳ６３３へ進み、撮影画面の全領域に対して測光動作を行うか否かの判定を行う。ステップＳ６３２にてアスペクト比のデータのみが選択されていない場合（『１×１』４１２、『４×５』４１４が選択されていた場合）、ステップＳ６３５へ進む。そして前述したように、装着されているフォーカシングスクリーンの種類や選択されたアスペクト比に応じて測光処理を行う。
【０１３３】
ステップＳ６３３にて撮影画面の全領域に対して測光動作を行うように設定されている場合には、ステップＳ６３４へ進み、測光回路３０７は、２１分割された不図示の多分割測光センサの全域を使用して測光データの取得を行う。
【０１３４】
また、ステップＳ６３３にて撮影画面の全領域に対して測光動作を行なわないように設定されている場合には、ステップＳ６３５へ進む。そして、２１分割された不図示の多分割測光センサの内、選択されたアスペクト比表示４１０に基き、前述したように不図示の多分割測光センサのアスペクト比範囲外のセンサ部分を不作動とする。その状態で測光回路３０７は、アスペクト比範囲内のみでの測光データの取得を行う。ステップＳ６３６では、ステップＳ６３４、ステップＳ６３５により測光回路３０７が取得した測光データに基いてシステムコントローラ３２４が測光データの処理を実行する。
【０１３５】
次に、焦点検出ポイント選択範囲の処理方法について、説明する。前述した様に図６の６Ａ乃至６Ｄ、図７の７Ａ乃至７Ｃは、本発明におけるデジタルカメラ１００における各種交換可能なフォーカシングスクリーンである。図４に示すように本デジタルカメラ１００はファインダ視野内に１９点の焦点検出ポイントマーク１４２を有している。
【０１３６】
しかし、図６の６Ｂに示すブラックマスク１４３を有するフォーカシングスクリーンを使用した場合、６Ｂに示す様にアスペクト比範囲外の左右の各３点の焦点検出ポイントマーク部１４２ａ、１４２ｂ部分がブラックマスク１４３で一部隠されてしまう。そのため、ユーザは焦点検出ポイントマーク１４２を撮影被写体に正確に合わせることができない。
【０１３７】
よって、前述したように１９点の焦点検出ポイントマーク１４２の内、左右の各３点の焦点検出ポイントマーク部１４２ａ、１４２ｂは表示を行わない様に構成されている。従って、ユーザが使用不可能な焦点検出ポイントマーク部１４２ａ、１４２ｂを使用出来ないようにする。図６の６Ｂに示すブラックマスク１４３を有するフォーカシングスクリーンを使用した場合には、撮影情報設定範囲４４０を『アスペクト範囲』４４２へ設定する。これにより、システムコントローラ３２４が、焦点検出ポイントマーク部１４２ａ、１４２ｂの選択を禁止すると共に、焦点検出ポイントマーク部１４２ａ、１４２ｂ位置での焦点検出動作を禁止している。
【０１３８】
尚、図７の７Ａに示すブラックマスク１４６を有するフォーカシングスクリーンを使用した場合には、アスペクト比の関係で左右の焦点検出ポイントマーク部１４２ａ、１４２ｂ部分がブラックマスク部分に隠されることが無い。そのため、撮影情報設定範囲４４０を『アスペクト範囲』４４２へ設定する必要は無く、『全範囲』４４１に設定可能であり、１９点全ての焦点検出ポイントマーク１４２における焦点検出動作を行うことが出来る。
【０１３９】
また、図６の６Ｃ、図７の７Ｂのハーフトーンマスク１４４、１４７を有するフォーカシングスクリーンを使用した場合や、図６の６Ｄ、図７の７Ｃの線マスク１４５、１４８を有するフォーカシングスクリーンを使用した場合には、以下のようになる。すなわち、６Ｃ、６Ｄ、７Ｂ、７Ｃに示す様にハーフトーンマスク１４４、１４７、線マスク１４５、１４８により、焦点検出ポイントマーク１４２の一部隠されてしまうがユーザからは認識可能となる。したがって、ユーザは焦点検出ポイントマーク１４２を撮影被写体に正確に合わせることになる。これにより、必要が無い限り、撮影情報設定範囲４４０を『アスペクト範囲』４４２へ設定する必要は無く、『全範囲』４４１に設定可能であり、１９点全ての焦点検出ポイントマーク１４２における焦点検出動作を行うことが出来る。
【０１４０】
図１６は、撮影情報設定範囲４４０が設定された時の焦点検出ポイントマーク１４２選択処理する動作を説明するフローチャートを示している。図１６において、ステップＳ６４０にて本デジタルカメラ１００が第１レリーズＳＷ３３０がＯＮされ撮影準備動作が開始され、ステップ６４１へ進む。そして、システムコントローラ３２４はＥＥＰＲＯＭ３２３へ記録されているスペクト比情報を入手する。
【０１４１】
ステップＳ６４１にて撮影画像のアスペクト比表示４１０が『１×１』４１２または『１×１（Ｄａｔａのみ）』４１３に設定されているか否かの判定を行う。アスペクト比表示４１０の設定が『１×１』４１２または『１×１（Ｄａｔａのみ）』４１３に設定されていない場合には、ステップＳ６４２へ進む。そして、撮影画面の全領域に対して焦点検出ポイントマーク１４２選択動作を行うか否かの判定を理を行う。
【０１４２】
アスペクト比表示４１０が『１×１』４１２または『１×１（Ｄａｔａのみ）』４１３に設定されている場合には、ステップＳ６４２へ進む。そして、アスペクト比のデータのみを画像ファイルへ付加（『１×１（Ｄａｔａのみ）』４１３が選択されているのか否かの判定を行う。ここでアスペクト比のデータのみを画像ファイルへ付加（『１×１（Ｄａｔａのみ）』４１３）が選択されていれば、ステップＳ６４３へ進む。そして、撮影画面の全領域に対して焦点検出ポイントマーク１４２の選択動作を行うか否かの判定を行う。ステップＳ６４２にてアスペクト比のデータのみが選択されていない場合（『１×１』４１２が選択されていた場合）、ステップＳ６４５へ進む。そして、前述したように装着されているフォーカシングスクリーンの種類や選択されたアスペクト比に応じて焦点検出ポイントマーク１４２の選択動作を行う。
【０１４３】
ステップＳ６４３にて撮影画面の全領域に対して焦点検出ポイントマーク１４２の選択動作を行うように設定されている場合には、ステップＳ６４４へ進む。そして、選択可能な全焦点検出ポイントマーク１４２に対してシステムコントローラ３２４は選択動作を許可する。
【０１４４】
また、ステップＳ６４３にて撮影画面の全領域に対して焦点検出ポイントマーク１４２の選択動作を行なわないように設定されている場合には、ステップＳ６４５へ進む。そして、選択可能な全焦点検出ポイントマーク１４２のうち、選択されたアスペクト比表示４１０に基き、システムコントローラ３２４は、アスペクト比範囲外の焦点検出ポイントマーク部１４２ａ、１４２ｂの選択を禁止する。
【０１４５】
ステップＳ６４６において、ステップＳ６４４、ステップＳ６４５により、システムコントローラ３２４は、焦点検出ポイントマーク１４２の選択に制限をかける。それと共に、焦点検出回路による選択不可の焦点検出ポイントマーク部１４２ａ、１４２ｂの動作を禁止するか否かの制御を行う。
【０１４６】
次に、ホワイトバランス処理方法について説明する。本デジタルカメラ１００のホワイトバランス処理は、画像データコントローラ３２１により、撮影された画像の全領域の中の最大の被写体輝度の部分を所定の色（白色）に補正するように構成されている。
【０１４７】
アスペクト比表示４１０の設定に応じて、ホワイトバランスを算出する為の領域を設定する。アスペクト比表示４１０の設定において、アスペクト比が『１×１（Ｄａｔａのみ）』４１３、『４×５（Ｄａｔａのみ）』４１５が選択されている場合には、次のようになる。すなわち、この場合、画面の全領域をホワイトバランス算出に対象とするのか、又は設定されたアスペクト比の領域をホワイトバランスの対象とするのかの選択が可能となっている。また、アスペクト比が『１×１』４１２、『４×５』４１４が選択されている場合には、設定されたアスペクト比の領域をホワイトバランスの対象とする為、撮影情報設定範囲４４０を『アスペクト範囲』４４２に設定される。
【０１４８】
図１７は、撮影情報設定範囲４４０が設定された時のホワイトバランス処理の動作を説明するフローチャートを示している。図１７において、ステップＳ６５０にて、本デジタルカメラ１００の撮影終了後、画像データコントローラ３２１がシステムコントローラ３２４を介してＥＥＰＲＯＭ３２３へ記録されているスペクト比情報を入手する。ステップＳ６５１に撮影画像がアスペクト比表示４１０が設定されているか否かの判定を行う。
【０１４９】
アスペクト比表示４１０の設定が成されていない場合（『２×３』４１１が選択されていた場合）には、ステップＳ６５４へ進み、撮影画面の全領域に対してホワイトバランスデータ算出処理を行ないＷＢデータの取得を行う。アスペクト比表示４１０の設定が成されている場合には、ステップＳ６５２へ進み、アスペクト比のデータのみを画像ファイルへ付加（『１×１（Ｄａｔａのみ）』４１３、『４×５（Ｄａｔａのみ）』４１５が選択）するのか否かの判定を行う。
【０１５０】
ここでアスペクト比のデータのみを画像ファイルへ付加（『１×１（Ｄａｔａのみ）』４１３、『４×５（Ｄａｔａのみ）』４１５）が選択されていれば、ステップＳ６５３へ進む。そして、撮影画面の全領域に対してホワイトバランスデータ算出処理を行ないＷＢデータの取得を行うか、設定されているアスペクト比の範囲内に対してホワイトバランスデータ算出処理を行ないＷＢデータの取得を行うかの判定を行う。
【０１５１】
ステップＳ６５２にてアスペクト比のデータのみが選択されていない場合（『１×１』４１２、『４×５』４１４が選択されていた場合）、ステップＳ６５５へ進む。そして、撮影画面に対し、設定されているアスペクト比の範囲内に対してホワイトバランスデータ算出処理を行ないＷＢデータの取得を行う。ステップＳ６０４では、ステップＳ６０３、ステップＳ６０５にて取得されたＷＢデータに基き、画像データコントローラ３２１が撮影された画像に対して、適切なホワイトバランス処理を実行する。
【０１５２】
以上説明したように構成することで、ユーザが予め決められたアスペクト比の画像データしか使用しない場合には、アスペクト比の範囲外をトリミング処理により、不要な部分の画像データを削除できる。したがって、画像ファイルの容量が小さくなり、撮影後の画像処理時間の短縮が可能となる。
【０１５３】
また、画像ファイルの容量が小さくなることで、画像データ記録媒体の記録できる画像ファイル枚数を増加させることができる。また、選択結果に応じて記録されている画像の再生表示方法や撮影条件を変更可能とする。これにより、ユーザに対し、トリミング情報に合わせた最適な撮影条件で撮影するか、トリミング情報に関わらず全画像範囲に最適な撮影条件で撮影するかを選択できる。したがって、それぞれの選択状態に応じて正確な焦点検出動作、露出制御動作、ホワイトバランス処理を可能とすることで撮影時の数々の便宜を図ることができる。また、ブラックアウト表示のフォーカシングスクリーンを組み合わせて使用することで、不必要な部分を視認する事無く確実なトリミング撮影が出来る。
【０１５４】
また、ユーザが予め決められたアスペクト比の画像を使用する前提で撮影を行うが、アスペクト比情報が設定されていても、トリミング処理を行わない全範囲の撮影画像データを有している。したがって、撮影後の画像確認時やパーソナルコンピュータに代表される外部接続機器に読み込んで画像を処理する場合に撮影画像を確認しながら、各種アスペクト比のトリミング処理を変更して画像処理ができるものである。
【０１５５】
また、選択結果に応じて記録されている画像の再生表示方法や撮影条件を変更可能とする。これにより、ユーザに対し、アスペクト比に応じたトリミング情報に合わせた最適な撮影条件で撮影するか、アスペクト比に応じたトリミング情報に関わらず全画像範囲に最適な撮影条件で撮影するかを選択できる。したがって、それぞれの選択状態に応じて正確な焦点検出動作、露出制御動作、ホワイトバランス処理を可能とすることで撮影時の数々の便宜を図ることができると共に、何れの場合においても最適な画像データを得ることができる。
【０１５６】
また、撮影画像に関する再生表示時や後加工時のアスペクト比を変更を可能としてトリミング処理範囲を変更可能とすることで、後加工時の画像処理に関する自由度が大きく向上し便宜を図ることができる。また、ハーフトーン表示、線表示のフォーカシングスクリーンを組み合わせて使用することで、アスペクト比のトリミング範囲外も確認しながら撮影が可能となり、アスペクト比変更によるトリミング処理変更も視野に入れた撮影を可能としている。
【０１５７】
画像再生表示において、特に拡大再生表示時には、アスペクト比に応じたトリミング情報により拡大再生表示範囲を変更出来るので、所望のアスペクト比によるトリミングの形態に合った拡大再生表示を簡単な操作で実現することができる。
【０１５８】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【０１５９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【０１６０】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１６１】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【符号の説明】
【０１６２】
１００  デジタルカメラ
１０１  レリーズボタン
１０２  メイン電子ダイヤル
１０３  撮影モードダイヤル
１０４  上面表示器
１１０  メニューボタン
１１２  ディスプレイボタン
１１５  サブ電子ダイヤル
１１６  ＳＥＴボタン
１１７  縮小表示ボタン
１１８  拡大再生表示ボタン
１２０  背面モニタ
１４０  フォーカシングスクリーン
１４２  焦点検出ポイントマーク
１４３、１４６  ブラックマスク
１４４、１４７  ハーフトーンマスク
１４５、１４８  線マスク
２００  レンズユニット
３０７  測光回路
３０８  フォーカシングスクリーン
３１１  撮像素子
３２１  画像データコントローラ
３２２  ＤＲＡＭ
３２３  ＥＥＰＲＯＭ
３２４  システムコントローラ
３２６  表示回路
３２７  メイン電子ダイヤルＳＷ
３２８  サブ電子ダイヤルＳＷ
３２９  露出モード設定ＳＷ
３３０  第１レリーズＳＷ
３３１  第２レリーズＳＷ
３３２  Ｍｅｎｕ選択ＳＷ
３３３  決定ＳＷ
３３４  ディスプレイＳＷ
３３５  画像拡大ＳＷ
３３６  画像縮小ＳＷ
【図１】
2011142658.tif 000003
【図２】
2011142658.tif 000004
【図３】
2011142658.tif 000005
【図４】
2011142658.tif 000006
【図５】
2011142658.tif 000007
【図６】
2011142658.tif 000008
【図７】
2011142658.tif 000009
【図８】
2011142658.tif 000010
【図９】
2011142658.tif 000011
【図１０】
2011142658.tif 000012
【図１１】
2011142658.tif 000013
【図１２】
2011142658.tif 000014
【図１３】
2011142658.tif 000015
【図１４】
2011142658.tif 000016
【図１５】
2011142658.tif 000017
【図１６】
2011142658.tif 000018
【図１７】
2011142658.tif 000019